(57)【要約】【課題】寝たきりになった被介護者が失禁するようになると、一般的には大人用紙おむつを使用する。大人用紙おむつを使用すれば失禁してもパジャマのズボンやシーツを汚さないので介護者の肉体的な負担は軽減できる。しかしながら、紙おむつは、使い捨てのため高額になる上に、はき心地が非常に悪い。【解決手段】本発明は、紙おむつの代わりに介護用として改良を加えたT字帯を使用する。このT字帯は幅広の横帯と面ファスナーを使用することで交換が容易であり着くずれせず、被介護者の股の部分にT字帯のパンドル部をある程度密着させることができる。さらに失禁に備えてシーツの交換を容易にするために敷布団の中央付近に防水シートを敷きその上にシーツを敷く。これにより被介護者が失禁をしても容易に交換できる。【選択図】図１
2019068971.tif 000002
【特許請求の範囲】
【請求項１】
生地に綿、ガーゼ、タオル地、その他肌触りの良い生地で作られた、幅広の横帯を備え、両端に面ファスナー（ループ側）が縫い付けられ、パンドル部下部には面ファスナー（フック側）が縫い付けられていて、横帯の面ファスナー（ループ側）に接着することで装着できる構造になっており、さらに面ファスナー（フック側）の下部には面ファスナー（ループ側）が縫い付けられていて、脱着時と洗濯時に面ファスナー（フック側）をカバーする構造になっている介護用として利用可能なT字帯。
【請求項２】
四隅に布製の紐を２本づつ備え、通常の３分の１程度の大きさのシーツと四隅にハトメを備えた当該シーツと同じ大きさの薄く柔らかなポリウレタン製の防水シート。なお四隅の２本の紐とハトメの代わりにボタン、ホック、スナップボタン、その他脱着が容易な取付具でもよい。
【発明の詳細な説明】
【技術分野】
【０００１】
本発明は、介護者による介護の利便性を良くし被介護者にとって、はきごごちの良いT字帯と被介護者が失禁した時に交換しやすくするためのシーツ及び防水シートに関する。
【背景技術】
【０００２】
面ファスナーにはフック側とループ側がありこの２つを重ねるとフックがループを引っ掛けるので固定できる構造になっている。フック側は硬い構造になっているので被介護者の皮膚に触れると、たいへん痛く不快であるがその点を実用新案登録第3157674号はまったく配慮されていない。さらにパンドル部の中央には間隔を開けて縦方向に２条の防湿帯があり中央部の左右の側端部には伸縮性縫込み部があるので、はき心地を悪くしている。
被介護者に装着した状態では紙おむつと同様に気密性が高い状態になるので、はき心地が悪いのは明らかである。
登録実用新案公報第３０５１７８７号はキルティング加工を施したマット本体が敷布団と同じ大きさであるため、被介護者を寝かせたまま交換するのは簡単ではない。マット本体は構造が複雑で縫製にも手間が掛かるため、何枚も揃えると高額になる。
【先行技術文献】
【特許文献】
【０００３】
【特許文献１】実用新案登録第3157674号
【特許文献２】登録実用新案公報第３０５１７８７号
【発明の概要】
【発明が解決しようとする課題】
【０００４】
寝たきりになった被介護者が失禁するようになると、一般的には大人用紙おむつを使用する。大人用紙おむつを使用すれば失禁してもパジャマのズボンやシーツを汚さないので介護者の肉体的な負担は軽減できる。しかしながら、紙おむつは、使い捨てのため高額になる上に、はき心地が非常に悪い。表面は防水加工されているので気密性が高く蒸れる。尿の横漏れを防ぐためギャザーが付いているので両足の付け根が締めつけられる。尿を吸収するための吸収体が入っているので多重構造になり嵩張ってごわごわする。さらに成熟した大人がおむつをはくこと自体に羞恥心と抵抗を感じる被介護者は多い。
一般的なＴ字帯は横帯が細い。結んで使用するので緩みやすい。したがって使用中に着崩れしやすく、尿取りパッドも固定できず介護用としては不向きである。
一般的なシーツは敷布団全体をカバーする大きさである。従って自分で動くことができない寝たきりの被介護者のシーツを交換することは簡単ではない。
【課題を解決するための手段】
【０００５】
本発明は、紙おむつの代わりに介護用として改良を加えたT字帯を使用する。このT字帯は幅広の横帯と面ファスナーを使用することで交換が容易であり着くずれせず、被介護者の股の部分にT字帯のパンドル部をある程度密着させることができる。したがって失禁に備えて尿取パッドやガーゼ、タオル等をT字帯の内側に装着することができる。このT字帯の生地は綿、ガーゼ、タオル地、その他肌触りの良い生地である。
さらに失禁に備えてシーツの交換を容易にするために敷布団の中央付近に防水シートを敷く。この防水シートはポリウレタン製で薄く柔らかい。四隅には一般的にハトメと呼ばれる金属の輪がかしめて付けられている。そして同じ大きさのシーツを敷く。このシーツの四隅には２本の紐がそれぞれ縫い付けられている。この紐で防水シートの四隅の輪に結び付けて固定する。
【発明の効果】
【０００６】
本発明のT字帯を使用すれば交換が容易である。さらに通気性が良く着ごこちが良いので被介護者が快適に生活できる。経済的にも洗濯して繰り返し使用できるので金銭的な負担を軽減できる。加えて本発明のシーツと防水シートを組み合わせて使用すれば被介護者が失禁してシーツを汚しても交換が容易である。
【図面の簡単な説明】
【０００７】
【図１】本発明に係るT字帯を広げた状態の正面平面図である。
【図２】本発明に係るT字帯を広げた状態の裏面平面図である。
【図３】本発明に係るT字帯のパンドル部下部の構造を示す平面図である。
【図４】本発明に係る面ファスナーの構造を示す概略斜視図である。
【図５】本発明に係るT字帯を被介護者の体の下に敷き込んだ状態を示す概略斜視図である。
【図６】本発明に係るT字帯のパンドル部を股の間を通して腹側に引き上げた状態を示す概略斜視図である。
【図７】本発明に係るT字帯のパンドル部と横帯を面ファスナーで固定した状態を示す概略斜視図である。
【図８】本発明に係る被介護者が寝た状態の股部周辺に防水シートを敷き込んだ状態を上方から見た平面図である。
【図９】本発明に係る被介護者が寝た状態の股部周辺にシーツを敷き込んだ状態を上方から見た平面図である。
【図１０】本発明に係る被介護者が寝た状態の股部周辺に防水シートを敷き、その上にシーツを敷き込んで防水シートとシーツを結び付けた状態を上方から見た平面図である。
【発明を実施するための形態】
【０００８】
以下、本発明の実施の形態を図面に基づき詳細に説明する。
図１において、パンドル部１と横帯２は布製で洗濯ができて繰り返し使用可能である。生地は綿、ガーゼ、タオル地、その他肌触りの良い生地を使用する。横帯２は被介護者が装着時に着くずれしないように幅広にする。横帯２には面ファスナー（ループ側）３が縫い付けられている。
【０００９】
図２において、パンドル部１の下部には面ファスナー（フック側）４が縫い付けられていて、図１の面ファスナー（ループ側）３で横帯をパンドルに留める構造になっている。面ファスナー（フック側）４の下方には面ファスナー（ループ側）５が縫い付けられていて、被介護者がT字帯を装着していない時は面ファスナー（フック側）４に接着しておく。これは洗濯時に面ファスナー（フック側）４をむき出しのままであると面ファスナーのフック部が他の布地を傷つけたり、他の布地に接着して絡まることで洗濯の邪魔をしたり、フック部に糸くずが絡まって面ファスナーの性能を悪くするのを防止するためと、被介護者にT字帯を脱着する時にフック部が皮膚に触れて痛くて不快な思いをしないようにするためである。
【００１０】
図３はパンドル部１の下部を拡大した図である。Aは面ファスナー（フック側）４と面ファスナー（ループ側）５を密着させた状態を示す。被介護者にT字帯を着脱する時と洗濯する時はこの状態にする。Bは面ファスナー（フック側）４と面ファスナー（ループ側）５を引きはがした状態を示す。
【００１１】
図４において、面ファスナーの構造を示す。Cは面ファスナーのループ側の拡大図である。表面は柔らかく皮膚に触れても問題ない。Dは面ファスナーのフック側の拡大図である。表面は硬くフックの形をしているので皮膚に触れると痛い。CとDを接触させるとフックがループを引っ掛けるので固定することができる。
【００１２】
図５において、被介護者にT字帯を装着する場合、図のように体の下にT字帯を敷き込む。
図６において、次にパンドル部を股の間から腹側に引き上げて、面ファスナー（フック側）４と面ファスナー（ループ側）５を引きはがす。
図７において、横帯２の面ファスナー（ループ側）３を面ファスナー（フック側）４に接着させて固定する。
【００１３】
図８において、防水シート６を図のように被介護者の下に敷き込む。材料はポリウレタン製で薄く柔らかく表面がツルツルしている。したがって失禁により汚れても拭き取って綺麗にするのは容易である。四隅にはハトメ７がかしめ付けられている。
図９において、シーツ８を防水シート６の上に重ねるように敷き込む。シーツ８の四隅には布製の紐９が2本づつ縫い付けている。シーツ８は普通のシーツの３分の１程度の大きさのため交換が容易である。
図１０において、シーツ８の紐９を防水シート６のハトメ７に通して結び付けてシーツ８と防水シート６を固定する。
被介護者が失禁した時の交換手順は（１）シーツ８の紐９を解いてシーツ８を取り外す。（２）パジャマのズボンを脱がせる。（３）T字帯と内側の尿取りパッド又はガーゼ、タオルを脱がせる。（４）お湯で湿らせたタオルで被介護者の股部と防水シート６の汚れを拭き取る。（５）乾いたタオルで被介護者の股部と防水シート６の水分気を拭き取る。（６）新しいシーツ８を敷き込み紐９を防水シート６に結び付ける。（７）新しいT字帯を装着して尿取りパッド又はガーゼ、タオルを内側に敷き込む。（８）パジャマのズボンを履かせる。（９）汚れたシーツ８、パジャマのズボン、T字帯、尿取りパッドの代わりに使用したガーゼ又はタオル、お湯で濡らしたタオル、乾いたタオルはまとめて洗濯機にかけて終わるとすぐに乾燥機にかければ１日に３〜４回は使い回しができる。
【符号の説明】
【００１４】
１  T字帯のパンドル部
２  T字帯の横帯
３  面ファスナー（ループ側）
４  面ファスナー（フック側）
５  面ファスナー（ループ側）
A  面ファスナー４と５を接着させた状態
B  面ファスナー４と５を引きはがした状態
C  面ファスナー（ループ側）の拡大図
D  面ファスナー（フック側）の拡大図
６  防水シート
７  ハトメ
８  シーツ
９  布製の紐
【図１】
2019068971.tif 000003
【図２】
2019068971.tif 000004
【図３】
2019068971.tif 000005
【図４】
2019068971.tif 000006
【図５】
2019068971.tif 000007
【図６】
2019068971.tif 000008
【図７】
2019068971.tif 000009
【図８】
2019068971.tif 000010
【図９】
2019068971.tif 000011
【図１０】
2019068971.tif 000012